(57)【要約】      （修正有）【課題】受診中に患者が感じるストレスを可能な限り低減しつつ、スムーズに処置を行うことのできる医用画像診断装置、医療情報提供方法、及び医療情報提供システムを提供する。【解決手段】患者Ｈが臥位の体勢を取る寝台装置Ｂと、寝台装置Ｂ上の患者Ｈの内部情報を撮影するガントリＧと、処置室Ｒに入室した患者Ｈに対して、必要な医療情報を、処置室の内部に設けられるマーカーの位置を基にガイド情報を提供する医療情報提供部とを備える。【選択図】図１
2015173957.tif 000002
【特許請求の範囲】
【請求項１】
患者が臥位の体勢を取る寝台装置と、
前記寝台装置上の前記患者の内部情報を撮影するガントリと、
処置室に入室した前記患者に対して必要な医療情報を、前記処置室の内部に設けられるマーカーの位置を基に提供する医療情報提供部と、
を備えることを特徴とする医用画像診断装置。
【請求項２】
前記医療情報提供部は、
前記マーカーを認識するマーカー認識部と、
前記マーカー認識部において認識された前記マーカーの位置から前記患者が前記マーカーを閲覧している位置を算出する閲覧位置算出部と、
前記患者に対して行われる処置のステータスを管理する検査ステータス管理部と、
前記閲覧位置算出部によって算出された前記患者の位置情報と前記マーカーに関する情報と前記ステータスに関する情報とを基に、前記患者に提供する医療情報を選択する医療情報選択部と、
を備えることを特徴とする請求項１に記載の医用画像診断装置。
【請求項３】
前記医療情報提供部は、前記患者が身につける医療情報提供装置から送られる情報を基に、前記患者に提供する必要な医療情報を選択するとともに、選択された前記医療情報を前記医療情報提供装置へと送ることで前記患者に必要な医療情報を提供することを特徴とする請求項１または請求項２に記載の医用画像診断装置。
【請求項４】
前記医療情報提供部が提供する前記医療情報は、少なくとも前記患者に対するガイド情報、或いは、処置中に前記患者に対して見せる背景情報であることを特徴とする請求項１ないし請求項３のいずれかに記載の医用画像診断装置。
【請求項５】
前記医療情報提供部は、患者の嗜好性を解析する嗜好性解析部を備え、前記患者に対する医療情報として背景情報を提供する際、前記患者の嗜好性を考慮して前記背景情報を提供することを特徴とする請求項２ないし請求項４のいずれかに記載の医用画像診断装置。
【請求項６】
前記ガイド情報、前記背景情報、マーカーに関する情報を格納する記憶部をさらに備えることを特徴とする請求項４または請求項５に記載の医用画像診断装置。
【請求項７】
患者が装着する通信機器において撮影されたマーカーの映像を受信するステップと、
前記映像を基に該当するマーカーに関する情報を取得するステップと、
前記マーカーに関する情報から前記患者の閲覧位置を算出するステップと、
少なくとも前記閲覧位置の情報と前記患者に対して行われる検査のステータスの情報とから前記患者に対してガイド情報を提供するか否かを判断するステップと、
前記患者に対してガイド情報を提供する場合に、適切な前記ガイド情報を取得するステップと、
取得された前記ガイド情報を前記通信機器に送信するステップと、
前記通信機器が受信した前記ガイド情報を表示するステップと、
を備えることを特徴とする患者への医療情報提供方法。
【請求項８】
前記ガイド情報を提供するか否かを判断するステップにおいて、
前記患者に対してガイド情報を提供しない場合に、前記患者に対して背景情報を表示させるか否かを確認するステップと、
前記背景情報を表示させる場合に、前記検査のステータスの情報と前記患者の嗜好性とを基に適切な背景情報を取得するステップと、
取得された前記背景情報を前記通信機器に送信するステップと、
前記通信機器が受信した前記背景情報を表示するステップと、
を備えることを特徴とする請求項７に記載の患者への医療情報提供方法。
【請求項９】
前記背景情報は背景情報データベースに記憶されており、前記背景情報を前記背景情報データベースに記憶する場合には、
前記患者に対して任意の前記背景情報を取得し表示させるステップと、
前記背景情報が表示されることによって前記患者に現われる反応を把握するステップと、
検出された前記変化を数値化するステップと、
前記変化ごとに算出される数値をまとめて総スコアを算出するステップと、
算出された前記総スコアを表示された前記背景情報と紐づけて保存するステップと、
を備えることを特徴とする請求項８に記載の患者への医療情報提供方法。
【請求項１０】
患者に対して様々な医療情報を提供する医療情報提供装置と、
患者が臥位の体勢を取る寝台装置と、前記寝台装置上の前記患者の内部情報を撮影するガントリと、から構成される医用画像診断装置と、
を備えることを特徴とする医療情報提供システム。
【請求項１１】
前記医療情報提供装置は、
前記処置室の内部に設けられるマーカーを認識するマーカー認識部と、
前記マーカー認識部において認識された前記マーカーの位置から前記患者が前記マーカーを閲覧している位置を算出する閲覧位置算出部と、
前記患者に対して行われる処置のステータスを管理する検査ステータス管理部と、
前記閲覧位置算出部によって算出された前記患者の位置情報と前記マーカーに関する情報と前記ステータスに関する情報とを基に、前記患者に提供する医療情報を選択する医療情報選択部と、
を備えることを特徴とする請求項１０に記載の医療情報提供システム。
【請求項１２】
前記医療情報提供装置は、さらに、
前記患者に対して提供される前記医療情報を表示する医療情報表示部と、
マーカーを撮影する撮影部と、
を備えることを特徴とする請求項１０または請求項１１に記載の医療情報提供システム。
【発明の詳細な説明】
【技術分野】
【０００１】
本発明の実施の形態は、医用画像診断装置、医療情報提供方法、及び医療情報提供システムに関する。
【背景技術】
【０００２】
近年、被検体内部の情報を収集（撮影）し、この収集された情報に基づいて被検体内部を画像化して医用画像を生成する医用画像診断装置が用いられるようになっている。この医用画像診断装置としては、例えば、Ｘ線ＣＴ装置（computed tomography：コンピュータ断層撮影装置）や、磁気共鳴診断装置（ＭＲＩ：magnetic resonance imaging）等が該当する。
【０００３】
また、例えば、これらの医用画像診断装置を使用する際に、併せて「拡張現実感（Augmented Reality  : AR）」ディスプレイを使用して、例えば、解剖学的構造の仮想画像をその構造の実際の場所で見ること等ができる装置も提案されている（特許文献１参照）。
【先行技術文献】
【特許文献】
【０００４】
【特許文献１】特開２００９−２０７８９５号公報
【発明の概要】
【発明が解決しようとする課題】
【０００５】
しかしながら、上記特許文献１において開示されている発明では、次の点について配慮がなされていない。
【０００６】
上記特許文献１においては、医師や技師等（以下、これらの者を「医療従事者」と表わす）等が使用することについては記載があるものの医療従事者以外の、例えば患者が使用する点については触れられていない。
【０００７】
すなわち、診断等を行うに当たって医用画像を利用することは非常に有益であることから、医用画像の生成は欠くことのできない処理となっている。一方で、これらの医用画像を生成する際に使用される医用画像診断装置は大がかりな装置構成を採用していることも多く、例えば、幼年層の患者や閉所恐怖症の患者にとっては恐怖心を抱く対象ともなりかねない。
【０００８】
また、患者の撮影を行う際には、医療従事者によって医用画像診断装置が設置されている処置室への入室から退室まで適宜患者をガイドすることが行われている。これは、撮影をスムーズに行うためであるが、ガイドの仕方が医療従事者によってまちまちであり、作業効率の観点からはよりシステム化した方が患者、医療従事者の双方にとって有益であると考えられる。
【０００９】
本発明は上記課題を解決するためになされたものであり、本発明の目的は、患者が感じるストレスを可能な限り低減しつつスムーズに処置を行うことのできる医用画像診断装置、医療情報提供方法、及び医療情報提供システムを提供することにある。
【課題を解決するための手段】
【００１０】
請求項１に記載の発明の特徴は、医用画像診断装置において、患者が臥位の体勢を取る寝台装置と、寝台装置上の患者の内部情報を撮影するガントリと、処置室に入室した患者
に対して必要な医療情報を、処置室の内部に設けられるマーカーの位置を基に提供する医療情報提供部とを備える。
【００１１】
請求項７に記載の発明の特徴は、医療情報提供方法において、患者が装着する通信機器において撮影されたマーカーの映像を受信するステップと、映像を基に該当するマーカーに関する情報を取得するステップと、マーカーに関する情報から患者の閲覧位置を算出するステップと、少なくとも閲覧位置の情報と患者に対して行われる検査のステータスの情報とから患者に対してガイド情報を提供するか否かを判断するステップと、患者に対してガイド情報を提供する場合に、適切な前記ガイド情報を取得するステップと、取得されたガイド情報を通信機器に送信するステップと、通信機器が受信したガイド情報を表示するステップとを備える。
【００１２】
請求項１０に記載の発明の特徴は、医療情報提供システムにおいて、患者に対して様々な医療情報を提供する医療情報提供装置と、患者が臥位の体勢を取る寝台装置と、寝台装置上の患者の内部情報を撮影するガントリと、から構成される医用画像診断装置とを備える。
【図面の簡単な説明】
【００１３】
【図１】第１の実施の形態における医療情報提供システムの全体構成を示す模式図である。
【図２】第１の実施の形態において医療情報提供システムを構成する医用画像診断装置及び通信機器の内部構成を示すブロック図である。
【図３】実施の形態における記憶部の内部構成を示すブロック図である。
【図４】第１の実施の形態における医療情報提供部の内部構成を示すブロック図である。
【図５】実施の形態における医療情報を患者に提供する流れを示すフローチャートである。
【図６】実施の形態における医療情報を患者に提供する流れを示すフローチャートである。
【図７】実施の形態におけるマーカーの説明を行うための説明図である。
【図８】実施の形態におけるマーカーデータベース内に記憶されているマーカーに関する情報の一例を示すテーブルである。
【図９】実施の形態におけるガイド情報データベース内に記憶されているガイド情報に関する情報の一例を示すテーブルである。
【図１０】実施の形態における背景情報データベース内に記憶されている背景情報に関する情報の一例を示すテーブルである。
【図１１】実施の形態における背景情報の収集の流れを示すフローチャートである。
【図１２】実施の形態における収集された背景情報に関するスコアの情報の一例を示すテーブルである。
【図１３】実施の形態における収集された背景情報に関するスコアの情報の一例を示すテーブルである。
【図１４】第２の実施の形態における医療情報提供システムの全体構成を示すブロック図である。
【図１５】第２の実施の形態において医療情報提供システムを構成する医療情報提供装置の内部構成を示すブロック図である。
【発明を実施するための形態】
【００１４】
以下、本発明の実施の形態について図面を参照して詳細に説明する。
【００１５】
（第１の実施の形態）
図１は、第１の実施の形態における医療情報提供システムＳの全体構成を示す模式図である。医療情報提供システムＳは、医用画像診断装置１及び患者が身に付ける通信機器Ｔ、マーカーＭ等によって構成されている。医療情報提供システムＳは、それ自体独立したシステムとして構成されても良いが、例えば、病院情報管理システム（ＨＩＳ：Hospital
Information System）、放射線部門情報管理システム（ＲＩＳ：Radiological Information System）、医用画像管理システム（ＰＡＣＳ：Picture Archiving Communication System）といった医療機関内に構築された各種管理システムの全て、或いは、その一部を構成するようにされていても良い。
【００１６】
医用画像診断装置１は、患者Ｈの内部情報を取得し、医用画像を生成する装置である。例えば、上述したＸ線ＣＴ装置、或いは、ＭＲＩといったモダリティである。医用画像診断装置１は、大きく患者Ｈが臥位の体勢を取る寝台装置Ｂと、寝台装置Ｂ上の患者Ｈの内部情報を撮影するガントリＧとから構成される。医用画像診断装置１は、処置室Ｒの内部に設置されている。図１に示す処置室Ｒにおいては、右側にドアＤが設けられており、患者ＨはこのドアＤを開けて処置室Ｒに入室する。入室すると、患者Ｈは、室内中央に設置されている医用画像診断装置１が目に入る。ここでは、手前に寝台装置Ｂがあり、奥にガントリＧが設置されている。
【００１７】
なお、医療従事者が操作する入力部や表示部については、図１には示されていないが、同じく医用画像診断装置１を構成する要素である。従って、例えば、処置室Ｒとは別の部屋に設けられている。
【００１８】
医用画像診断装置１を使用した処置を受ける患者Ｈは、通信機器Ｔを身に付けている。通信機器Ｔは、医用画像診断装置１が患者Ｈの位置を把握する際必要となる情報を収集するとともに、患者Ｈに対して、例えば次にどのような行動を取れば良いのかを報せるためのガイド情報等の医療情報を提供する機器である。そのためこのような機能が盛り込まれていれば、通信機器Ｔはどのような形態を採用していても良い。本発明の実施の形態においては、例えば、患者Ｈが眼鏡のように顔に装着して使用する通信機器Ｔが採用されている。なお、図１において処置室Ｒを上方から俯瞰した全体図では、患者Ｈは眼鏡の形態の通信機器Ｔを装着しており、図１では破線で示している。
【００１９】
また、処置室Ｒの壁面や医用画像診断装置１の各部には、マーカーＭが設けられている。このマーカーＭ１ないしＭ６は、入室した患者Ｈの位置を算出する際の情報として用いられる。すなわち、患者Ｈが身に付ける通信機器ＴによってマーカーＭが読み取られることによって処置室Ｒ内における患者Ｈの位置が算出される。また、患者Ｈの位置が算出されるということは、これらのマーカーＭ１ないしＭ６の画像が患者Ｈに対して医療情報を提供する際のきっかけとなるものである。なお、当該位置算出の詳細な処理の流れについては後述する。
【００２０】
図１に示す処置室Ｒにおいては、壁面に４つのマーカー、マーカーＭ１ないしＭ４が設置されており、ガントリＧに１つ（マーカーＭ５）、寝台装置Ｂに１つ（マーカーＭ６）が設置されている。なお、以下マーカーＭ１ないしＭ６をまとめて示す場合には、適宜「マーカーＭ」と表わす。
【００２１】
図２は、第１の実施の形態において医療情報提供システムＳを構成する医用画像診断装置１及び通信機器Ｔの内部構成を示すブロック図である。
【００２２】
まず医用画像診断装置１は、ＣＰＵ（Central Processing Unit）１ａと、ＲＯＭ(Read
Only Memory)１ｂと、ＲＡＭ（Random Access Memory）１ｃ及び入出力インターフェイス１ｄがバス１ｅを介して接続されている。入出力インターフェイス１ｄには、入力部１
ｆと、表示部１ｇと、通信制御部１ｈと、記憶部１ｉと、駆動部制御部１ｊと、医療情報提供部１０とが接続されている。
【００２３】
ＣＰＵ１ａは、例えば医療従事者による入力部１ｆからの入力信号に基づいてＲＯＭ１ｂから医用画像診断装置１を起動するためのブートプログラムを読み出して実行し、記憶部１ｉに格納されている各種オペレーティングシステムを読み出す。
【００２４】
またＣＰＵ１ａは、入力部１ｆや入出力インターフェイス１ｄを介して、図２において図示していないその他の外部機器からの入力信号に基づいて各種装置の制御を行う。さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、画像生成のための処理やデータの計算、加工等、一連の処理を実現する処理装置である。
【００２５】
入力部１ｆは、医用画像診断装置１の操作者（医療従事者）が各種の操作を入力するキーボード、ダイヤル等の入力デバイスにより構成されており、操作者の操作に基づいて入力信号を作成しバス１ｅを介してＣＰＵ１ａに送信される。
【００２６】
表示部１ｇは、例えば液晶ディスプレイである。この表示部１ｇは、ＣＰＵ１ａからバス１ｅを介して出力信号を受信し、例えばある医用画像を撮影するに当たっての条件設定に必要な画像等、或いはＣＰＵ１ａの処理結果等を表示する。
【００２７】
通信制御部１ｈは、ＬＡＮカードやモデム等の手段であり、医用画像診断装置１をインターネットやＬＡＮ等の通信ネットワークに接続することを可能とする手段である。通信制御部１ｈを介して通信ネットワークと送受信したデータは入力信号または出力信号として、入出力インターフェイス１ｄ及びバス１ｅを介してＣＰＵ１ａに送受信される。
【００２８】
記憶部１ｉは、半導体や磁気ディスクで構成されており、ＣＰＵ１ａで実行されるプログラムやデータが記憶されている。その他、患者に関する情報等の各種情報も記憶されている。
【００２９】
図３は、実施の形態における記憶部１ｉの内部構成を示すブロック図である。記憶部１ｉ内には、後述するガイド情報を格納するガイド情報データベースｉ１と、患者に関する情報を格納する患者情報データベースｉ２と、後述する背景情報を格納する背景情報データベースｉ３と、マーカーＭに関する情報を格納するマーカーデータベースｉ４とを備えている。なお、図３に示す記憶部１ｉにおいては、説明の都合上、上述した４種類のデータベースのみを示しているが、その他必要な情報、データを記憶している。また、図３においては、データベースを「ＤＢ」と示している。
【００３０】
駆動部制御部１ｊは、医用画像診断装置１を構成する各駆動部、例えば、ガントリＧや寝台装置Ｂの駆動を制御する。駆動部制御部１ｊは、医療従事者が入力部１ｆを介して入力した駆動の条件に沿って各部の駆動を制御する。
【００３１】
医療情報提供部１０は、処置室Ｒにおいて医用画像診断装置１を利用して検査等（以下、「処置」と表わす）を受診する患者Ｈに対して医療情報を提供する。ここで「医療情報」には、少なくとも、処置室Ｒ内において患者Ｈを誘導するためのガイド情報と処置中の患者Ｈの心理的な負担を軽減するために通信機器Ｔに表示させる背景情報とが含まれる。
【００３２】
医療情報提供部１０は、患者Ｈが身に付ける通信機器Ｔからのマーカーに関する情報を取得して患者Ｈの位置を算出することで、患者Ｈの位置に応じた適切なガイド情報を提供
する。また、背景情報を提供して、例えば、通信機器Ｔに医用画像診断装置１以外の画像を背景として表示させることで、患者Ｈが処置中に抱く心理的負担を少しでも軽減させることができる。
【００３３】
図４は、第１の実施の形態における医療情報提供部１０の内部構成を示すブロック図である。医療情報提供部１０は、受信部１１と、マーカー認識部１２と、閲覧位置算出部１３と、医療情報選択部１４と、検査ステータス管理部１５と、嗜好性解析部１６と、医療情報収集部１７と、送信部１８とから構成されている。
【００３４】
患者Ｈに対して医療情報を提供するに当たっては、通信機器Ｔが撮影したマーカーＭをマーカー認識部１２が認識する。閲覧位置算出部１３は当該認識されたマーカーに関する情報から、患者Ｈが処置室Ｒ内においていずれの位置にいるかを算出する。医療情報選択部１４は、算出された患者Ｈの位置において提供するに適切な医療情報を選択し、送信部１８を介して通信機器Ｔに医療情報を患者Ｈに提供する。なお、医療情報選択部１４が提供する医療情報を選択する場合、適宜実施されている検査のステータスに関する情報を検査ステータス管理部１５から入手し、嗜好性解析部１６から医療情報を提供する患者Ｈの嗜好を把握する。
【００３５】
また、医療情報収集部１７は、患者Ｈに対してより適切な背景情報を提供するための情報を収集する際に利用される。そしてここでの収集結果を基に、患者Ｈに対して背景情報が選択され、提供される。
【００３６】
なお、医療情報提供部１０の各部の詳細な機能、働きについては、患者Ｈに医療情報を提供する流れを説明する中で説明する。
【００３７】
通信機器Ｔは、医用画像診断装置１から提供される医療情報を患者Ｈに伝達する機器である。通信機器Ｔは、図２に示されているように、撮影部Ｔ１と、医療情報表示部Ｔ２と、及び送受信部Ｔ３とから構成されている。
【００３８】
撮影部Ｔ１は、患者Ｈが入室した処置室Ｒの内部を画像として撮影する機器である。具体的には、処置室Ｒ内に設けられているマーカーＭを撮影する。撮影部Ｔ１は、撮影したマーカーＭに関する情報を患者Ｈの位置を把握するための情報としての利用に供するために医用画像診断装置１へと送信する。医用画像診断装置１では、受信したマーカーＭに関する情報を用いて処置室Ｒ内のいずれの位置に患者Ｈがいるかを把握する。なお、本発明の実施の形態においては、通信機器Ｔは眼鏡の形態を採用していることから、患者Ｈが見たものと撮影部Ｔ１が撮影する対象とは略同じ画像となる。
【００３９】
医療情報表示部Ｔ２は、医用画像診断装置１から提供される様々な医療情報を表示する役割を担っている。本発明の実施の形態においては、通信機器Ｔは眼鏡の形態を採用していることから、レンズに該当する領域に提供された医療情報が表示される。但し、通信機器Ｔを装着する患者Ｈの行動を制限することのないように、単なる眼鏡のように患者Ｈは医療情報表示部Ｔ２を通して外界の状況が見えるようにされている。なお、いずれの領域に医療情報を表示させるのか、或いは、医療情報を表示させる領域の大きさ等については、任意に設定することが可能である。
【００４０】
送受信部Ｔ３は、医用画像診断装置１との間で情報をやり取りする。情報のやり取りに当たっては、通信機器Ｔと医用画像診断装置１との間が有線で接続されていても良いが、患者Ｈ等の利便性を考慮すると、好適には無線で情報がやり取りされることになる。従って、例えば、送受信部Ｔ３は、ＴＣＰ／ＩＰ内蔵８０２．１１ｂ／ｇ／ｎモジュール等が組み込まれて構成されている。本発明の実施の形態における医療情報提供システムＳにお
いても、図２に示すように、例えば、医療情報が医用画像診断装置１から通信機器Ｔに対して無線で送られる。
【００４１】
なお、本発明の実施の形態における通信機器Ｔの構成は上述の通りであるが、例えば、さらにイヤフォン等の、視覚以外の感覚に対して医療情報を提供するような機器が設けられていても良い。
【００４２】
次に、処置室Ｒにて医用画像診断装置１を利用した処置が行われる患者に対して、その入室から退室までの間になされる医療情報の提供の流れについて説明する。
【００４３】
図５及び図６は、実施の形態における医療情報を患者Ｈに提供する流れを示すフローチャートである。
【００４４】
まず医用画像診断装置１は、検査オーダーを受信する（ＳＴ１）。当該検査オーダーは、例えば、医療従事者が診察中に検査が必要となった場合に、検査を行うに必要な情報を入力することで発生する。或いは、例えば医療機関内に構築されている予約システムを利用して事前に入力されていても良い。
【００４５】
次に医用画像診断装置１は、受信した検査オーダーの中から、実際に検査対象となる患者Ｈの検査オーダーを確認する（ＳＴ２）。これは、処置室Ｒに入室してこれから検査等を行う患者Ｈと検査オーダーとを紐付けるために行われる。医用画像診断装置１は、複数の検査オーダーを受信する一方、検査オーダーは患者ごとに異なるからである。
【００４６】
ここで医用画像診断装置１を利用した検査（処置）を受診する患者Ｈは、処置室Ｒに入室する。ここで事前に通信機器Ｔを身に付ける。医用画像診断装置１から適宜医療情報の提供を受けるためである。
【００４７】
患者Ｈが装着する通信機器Ｔには、上述したように撮影部Ｔ１が設けられている。また本発明の実施の形態においては、通信機器Ｔは眼鏡の形態が採用されている。そして撮影部Ｔ１が患者Ｈの視線と同一方向を撮影するように設けられていることから、患者Ｈが顔を向けた方向の画像が撮影されることになる。
【００４８】
患者Ｈが処置室Ｒに入室すると、処置室Ｒの内部が見え、併せて処置室Ｒ内に設けられているマーカーＭも目に入る。従って撮影部Ｔ１もマーカーＭを撮影することになる。図１を用いて説明すると、患者Ｈが処置室Ｒに入室した直後は、患者Ｈの左側壁面に設けられているマーカーＭ１、処置室Ｒの奥に見えるマーカーＭ２、そして、ガントリＧの寝台装置Ｂと対向する位置に設けられているマーカーＭ５が目に入る。従って、マーカーＭ２については、その正面を見ることができる。一方、マーカーＭ１は患者Ｈの視界には入るが、マーカーの正面を見ることはできない。また、マーカーＭ５については、視界に入っておりその正面も見ることができるが、患者Ｈの位置からすればマーカーＭ２のようにマーカーに正対しているわけではないので、患者Ｈからは角度を持って見えていることになる。
【００４９】
一方、例えば患者Ｈが処置室Ｒに入室して９０度右側を向いた場合、寝台装置Ｂに正対することになる。この場合、患者Ｈの左側にガントリＧがある。図１を見ても明らかなように、寝台装置Ｂの奥、患者Ｈの正面左側にマーカーＭ３が、正面右側にマーカーＭ４が見える。また、患者Ｈが下を向くと、寝台装置Ｂを構成する天板上に設けられているマーカーＭ６を見ることができる。以上のように、患者ＨとマーカーＭとの位置関係によって患者Ｈにおいて見えるマーカーＭとその角度が異なることになる。
【００５０】
このように通信機器Ｔの撮影部Ｔ１は、患者Ｈの視線方向の映像を撮影することになる。従って患者ＨがマーカーＭを見るとそのマーカーＭも撮影される。撮影された画像は、送受信部Ｔ３を介して医用画像診断装置１に送信される。医用画像診断装置１では、通信機器Ｔからの送信された画像情報を医療情報提供部１０において受信する（ＳＴ３）。
【００５１】
受信した画像情報の中には、患者Ｈが見たマーカーＭについての画像情報もある。医療情報提供部１０において通信機器Ｔから受信した画像情報は、まず受信部１１を介してマーカー認識部１２に入る。マーカー認識部１２では、患者Ｈが見たマーカーＭを認識する（ＳＴ４）。マーカー認識部１２がマーカーＭを認識する方法については、既知の技術を利用することができるが、以下、具体的にマーカー認識部１２がマーカーＭを認識する方法の一例について、図７を用いて説明する。
【００５２】
図７は、実施の形態におけるマーカーＭの説明を行うための説明図である。本発明の実施の形態においては、例えば、図７に示されているマーカーＭが使用されている。マーカーＭは矩形の形状をしており、周囲が黒色であり、真ん中が白色とされている。つまり、白色の領域を囲むように黒色の領域が設けられている。そこで、この黒色の領域を便宜上水平方向に３つの領域に分ける。すなわち、マーカーＭに正対した場合に、左側の領域が「Ｆｒａｍｅ  Ｌｅｆｔ」であり、右側の領域が「Ｆｒａｍｅ  Ｒｉｇｈｔ」である。また、黒色の領域のうち「Ｆｒａｍｅ  Ｌｅｆｔ」と「Ｆｒａｍｅ  Ｒｉｇｈｔ」との間に挟まれる領域を「Ｃｅｎｔｅｒ」とする。
【００５３】
この「Ｃｅｎｔｅｒ」の領域には白色の領域が存在する。白色の領域は、さらに４分割され、４つの領域に分けられる。それぞれ左上、右上、左下、右下の領域である。図７に示されているマーカーＭには、左上、左下を含む白色の領域の左側の領域に「○」の文字が、右上、右下を含む白色の領域の右側の領域に「△」の文字が示されている。さらに「○」、「△」のいずれの文字も上下に隣接する領域にわかれ、４つの領域それぞれに文字の一部が示されている。ここでは以下、便宜上左上の領域において示される図形パターンを「ｐａｔｔｅｒｎ１」と表わす。また、右上、左下、右下のそれぞれの領域において示される図形パターンを「ｐａｔｔｅｒｎ２」、「ｐａｔｔｅｒｎ３」、「ｐａｔｔｅｒｎ４」と表す。
【００５４】
マーカー認識部１２は、撮影されたマーカーに関して４つの白色の領域のそれぞれに示されている図形パターンを、「ｐａｔｔｅｒｎ１」ないし「ｐａｔｔｅｒｎ４」ごとに予め登録されている図形パターンと比較する。比較の結果、４つの領域に関する全ての図形パターンが既に登録されている図形パターンと一致した場合に、マーカー認識部１２は患者Ｈが見て、撮影部Ｔ１によって撮影されて送信されてきたマーカーＭを認識したことになる。
【００５５】
なお、マーカー認識部１２は、４つの領域に関する全ての図形パターンが既に登録されている図形パターンと一致するまで比較を行い、マーカーＭを認識する。また、マーカー認識部１２は、４つの領域に関する全ての図形パターンが既に登録されている図形パターンと一致することをもってマーカーＭを認識するが、併せて「Ｆｒａｍｅ  Ｌｅｆｔ」、「Ｃｅｎｔｅｒ」、「Ｆｒａｍｅ  Ｒｉｇｈｔ」といったマーカーＭ１の幅に関する情報も利用してマーカーＭを認識することとしても良い。
【００５６】
次にマーカー認識部１２は、認識したマーカーＭに関する情報、すなわち、送信されてきたマーカーＭが処置室Ｒ内におけるいずれの位置に設けられたものであるかとの情報を取得するべく、記憶部１ｉ内のマーカーデータベースｉ４にアクセスする。
【００５７】
図８は、実施の形態におけるマーカーデータベースｉ４内に記憶されているマーカーＭ
に関する情報の一例を示すテーブルである。このテーブルには、「マーカーＩＤ」、マーカーＭにおける黒色の領域と白色の領域との位置関係を示す情報、及び、白色の４つの領域における「ｐａｔｔｅｒｎ１」ないし「ｐａｔｔｅｒｎ４」の図形パターンが示されている。
【００５８】
マーカーＭにおける黒色の領域と白色の領域との位置関係を示す情報としては、上述した、「Ｆｒａｍｅ  Ｌｅｆｔ」、「Ｃｅｎｔｅｒ」、「Ｆｒａｍｅ  Ｒｉｇｈｔ」の幅を示す数値が記憶されている。例えば、「マーカーＩＤ」が「２３４１」のマーカーＭは、「Ｆｒａｍｅ  Ｌｅｆｔ」、「Ｃｅｎｔｅｒ」、「Ｆｒａｍｅ  Ｒｉｇｈｔ」の幅がそれぞれ、「２５」、「５０」、「２５」であると規定されている。また、「ｐａｔｔｅｒｎ１」ないし「ｐａｔｔｅｒｎ４」の図形パターンは、それぞれ「２３４１−１．ｄａｔａ」ないし「２３４１−４．ｄａｔａ」として記憶されている。
【００５９】
なお、ここでの幅を示す数値は、マーカーＭにおける実際の長さであっても「Ｆｒａｍｅ  Ｌｅｆｔ」、「Ｃｅｎｔｅｒ」、「Ｆｒａｍｅ  Ｒｉｇｈｔ」の幅の割合を示す数値であっても良い。
【００６０】
マーカー認識部１２は、比較して一致した図形パターンを備えるマーカーＩＤを持つマーカーに関する情報を、マーカーデータベースｉ４に記憶されているテーブルを参照して特定する。その上で、当該マーカーに関する情報を取得する（ＳＴ５）。図８に示すテーブルでは、マーカーＩＤとそれぞれマーカーＩＤで特定されるマーカーＭの位置とが紐付けられている。従って、マーカーＩＤを特定することで、当該マーカーＩＤを持つマーカーＭの位置情報を把握することができる。
【００６１】
マーカー認識部１２では、このようにして患者Ｈが見たマーカーＭに関する情報を取得し、この情報を閲覧位置算出部１３へと送信する。閲覧位置算出部１３では、受信したマーカーＭに関する情報や当該マーカーＭを撮影した際の角度に関する情報、当該マーカーＭが撮影された際の大きさに関する情報等を基に、どのような位置に立てば通信機器Ｔの撮影部Ｔ１において撮影された画像通りのマーカーの画像を取得できるか、その位置を算出する（ＳＴ６）。
【００６２】
算出される位置は、撮影部Ｔ１による撮影位置であるが、この位置はすなわち、処置室Ｒ内において患者Ｈがいる位置に他ならない。よって、マーカー認識部１２が、撮影されたマーカーＭを特定し、特定されたマーカーＭの位置の情報及び、当該マーカーＭの見え方も加味することで、患者Ｈの位置を把握することができる。算出された患者Ｈの位置情報は、医療情報選択部１４へと送信される。
【００６３】
医療情報選択部１４は、処置室Ｒにおける患者Ｈの立ち位置の情報を基に、そのような位置にいる患者Ｈに対して提供する医療情報の選択を行う。そこで、さらに検査ステータス管理部１５にアクセスして、当該患者Ｈが受診する検査の現在の状況を示す情報（検査ステータス）を取得する（ＳＴ７）。なお、ここでは検査ステータスを取得するための基となる情報の１つとして、医療従事者による操作情報も利用することができる。
【００６４】
ここで「検査ステータス」の取得を行うのは、例えば、図１に示すように、患者Ｈが寝台装置Ｂの前に立っている場合であって、特に寝台装置Ｂを視界に収めている場合に、患者Ｈの位置情報のみだと、患者Ｈはこれから寝台装置Ｂに横臥するのか、医用画像診断装置１による撮影が終了して寝台装置Ｂから降りたのか、不明である。そこで、患者Ｈの位置情報に検査ステータスの情報も加味することで、患者Ｈに対してより適切な医療情報を提供することができる。また、検査ステータスの情報を利用することで、患者Ｈに対して提供した医療情報とは異なる行動を患者Ｈが取った場合に、当該行動を修正するためのガ
イド情報を提供することも可能となる。
【００６５】
医療情報選択部１４は、次に患者Ｈに対してガイド情報の提供（ガイド表示）を行うか否か、判断する（ＳＴ８）。ステップＳＴ７において現在処置室Ｒ内にいる患者Ｈがどのような検査ステータスの状態にあるかが把握されている。そこで、この検査ステータスを勘案して、現在の患者Ｈに対してガイド表示を行うのが適切であるのか、或いは、背景情報を提供する方が適切であるのかを判断する。
【００６６】
この判断によって、患者Ｈに対してはガイド情報の提供を行う場合には（ＳＴ８のＹＥＳ）、医療情報選択部１４は、ガイド情報データベースｉ１にアクセスして検査ステータスに合致したガイド情報を取得する（ＳＴ９）。
【００６７】
図９は、実施の形態におけるガイド情報データベースｉ１内に記憶されているガイド情報に関する情報の一例を示すテーブルである。すなわちマーカーＩＤとこのマーカーＩＤが認識された場合に患者Ｈに対して提供するガイド情報とを紐付けるテーブルである。図９に示すテーブルでは、「マーカーＩＤ」、「Ｘ軸条件」、「Ｙ軸条件」、「Ｚ軸条件」、「ガイドＩＤ」、「ステータスＩＤ」の６つの項目が設定されている。
【００６８】
「マーカーＩＤ」は、マーカー認識部１２が認識したマーカーＭに付与されているＩＤである。マーカーＭごとの「Ｘ軸条件」、「Ｙ軸条件」、「Ｚ軸条件」は、ガイド情報を患者Ｈに提供する際の各軸における条件を示している。
【００６９】
さらに、マーカーＭごとにこのマーカーＭが認識された場合に患者Ｈに対して提供するガイド情報が規定されている。図９に示すテーブルでは、マーカーＭを「マーカーＩＤ」で特定し、ガイド情報を「ガイドＩＤ」で特定している。そして、このガイド情報が提供される場合の検査ステータスに関する「ステータスＩＤ」も規定されている。ステータスＩＤでは、検査開始から検査終了までのそれぞれの段階を数字で規定し示している。例えば、検査ステータスが異なっても患者Ｈが目にするマーカーＭが重複する場合があり、その場合には、同じガイド情報が提供されることになる。
【００７０】
例えば、「マーカーＩＤ」が「２３４１」である場合には、「Ｘ軸条件」が「−８００＜ｘ＜８００」、「Ｙ軸条件」が「１００＜ｙ＜１０００」と設定されており、一方、「Ｚ軸」に関する条件は設定されていない。そして、この場合のガイド情報は、「寝台．ｍｐ３」で規定されている情報である。これは、例えば、患者Ｈが寝台装置Ｂに接近した場合に、患者Ｈに対して提供されるガイド情報である。
【００７１】
また、このときの患者Ｈに対して行われている検査のステータスは、「１、３、４」である。すなわち、検査ステータスが「１、３、４」である場合に、患者Ｈが「マーカーＩＤ」が「２３４１」であるマーカーＭを見た場合には、いずれも同じ「寝台．ｍｐ３」のガイド情報が提供されることになる。
【００７２】
このようにマーカー認識部１２によって患者Ｈが見たマーカーＭが認識され、認識されたマーカーＭに付与されているマーカーＩＤごとに規定されているガイド情報が患者Ｈに提供されることになる。
【００７３】
その上で、取得したガイド情報を送信部１８を介して患者Ｈが装着している通信機器Ｔに送信する（ＳＴ１０）。通信機器Ｔの送受信部Ｔ３は、受信したガイド情報を医療情報表示部Ｔ２に送り、医療情報表示部Ｔ２において提供された医療情報（ここではガイド情報）を表示する（ＳＴ１１）。患者Ｈは表示されるガイド情報に従うことで、次に求められる位置、或いは、姿勢等へと誘導される。
【００７４】
例えば、上述した「寝台．ｍｐ３」で規定されているガイド情報は、例えば、患者Ｈが寝台装置Ｂを見た場合に、仮想的な患者が寝台装置Ｂ上に今回の処置で取るべき体位を投影するものである。このようなガイド情報が提供された患者Ｈは、寝台装置Ｂ上でガイドされた通りの体位を取ることになる。
【００７５】
なお、患者Ｈが寝台装置Ｂ上に横臥して動かない状態にあると、視界に入るマーカーＭも限定される。また一方で、寝台装置Ｂ上に横臥等しなければ、患者Ｈはガイド情報に基づいて誘導されていると考えられる。この間、患者Ｈは処置室Ｒ内の様々なところを見ており、撮影部Ｔ１も患者Ｈの動きに合わせて撮影を継続している。そのため、また新たに別のマーカーＭを撮影することもある。
【００７６】
このように患者Ｈが別のマーカーＭを見、撮影部Ｔ１が当該マーカーＭを撮影した場合には、医療情報提供部１０は、再度別のマーカーＭを認識し（ＳＴ１２のＹＥＳ）、上述したようなガイド情報の提供が行われる（ＳＴ５ないしＳＴ１１）。
【００７７】
一方、例えば、患者Ｈが処置室Ｒを退室するような場合には、別のマーカーＭを見ることもなくなるため、医療情報提供部１０も新たなマーカーＭを認識することもない。この場合には（ＳＴ１２のＮＯ）、患者Ｈに対する医療情報、すなわちガイド情報の提供は終了する。
【００７８】
患者Ｈに対して提供される医療情報としては、上述したガイド情報の他、背景情報もある。この背景情報は、検査等の処置を受診する際、患者Ｈが医用画像診断装置１を見ることで引き起こされる心理的負担を軽減するために提供される情報である。すなわち、例えば、ガントリＧを見せないようにしたり、或いは、患者Ｈが見ているガントリＧに何らかの画像を重複して表示させる等の処理を行う。そこで、ガイド情報の提供がされない場合には（ＳＴ８のＮＯ）、患者Ｈに対して背景情報が提供される。
【００７９】
患者Ｈに背景情報が提供されるに当たって、まず、医療情報選択部１４は背景情報の提供が何度目であるかを確認する（図６のＳＴ１３）。ここで背景情報の提供が何度目であるかを確認するのは、最初のうちは患者Ｈに対してより適切な背景情報を提供するための情報を収集する必要があるからである。当該情報収集の流れについては後述する。
【００８０】
なお、ここで何度目をもって情報の収集を行うのか、そのまま背景情報を患者Ｈに提供するかは任意に設定することができる。また、回数を数え始める時点についても、例えば、医用画像診断装置１を設置した時等、任意に設定できる。
【００８１】
医療情報選択部１４がｎ回目以降の背景情報の提供であると判断した場合（ＳＴ１３のＹＥＳ）、背景情報を提供する対象である患者Ｈが現在どのような検査ステータスにあるのか、そして患者の嗜好性を基に背景情報データベースｉ３にアクセスして背景情報を取得する（ＳＴ１４）。
【００８２】
図１０は、実施の形態における背景情報データベースｉ３内に記憶されている背景情報に関する情報の一例を示すテーブルである。このテーブルには、左から「マーカーＩＤ」、「嗜好性」、「検査ステータスＩＤ」、「背景ＩＤ」、「背景ファイル」、「Ｘ軸」、「Ｙ軸」、「Ｚ軸」の８つの項目が規定されている。
【００８３】
「マーカーＩＤ」は、上述したように、処置室Ｒ内に設けられている各マーカーＭ１ないしＭ６に付与されたＩＤである。「嗜好性」とは、患者の嗜好性である。或いは、患者の病名を含むものであっても良い。この「嗜好性」の項目は、例えば、後述するように、
適切な背景情報取得のための情報収集を行い、背景情報データベースｉ３に格納する際に、医療従事者が情報収集の対象となった患者の嗜好性を入力することで把握される。または、カルテ上の所見等を構文解析することで、或いは、患者が利用しているＳＮＳ等の情報を入手することで、患者の嗜好性に関する情報を取得しても良い。
【００８４】
「検査ステータスＩＤ」は、検査ステータスごとに付与されるＩＤである。また同様に、「背景ＩＤ」は、背景情報ごとに付与されるＩＤである。「背景ファイル」は、背景ＩＤごとの背景情報をわかりやすく示したものであり、例えば、図１０に示されているように、「花」や「森」といった、患者Ｈに対して提供される背景情報の内容が直感的に理解できるようにファイル名が定められている。「Ｘ軸」、「Ｙ軸」、「Ｚ軸」は、処置室Ｒ内において患者Ｈに対して背景情報を提供する際の範囲を示している。
【００８５】
図１０のテーブルにおいて、例えば、マーカーＩＤが「１５６８」のマーカーＭについては、嗜好性が「備考＝閉所恐怖症」とされている。上述したように、この嗜好性の欄には、患者Ｈの好み等の他、医用画像診断装置１を利用して検査を受診する際に注意を要する病名等も規定されている場合も考えられる。特に、例えば、ガントリＧを備える医用画像診断装置１を利用する場合、患者Ｈが閉所恐怖症であるか否かは非常に大きなポイントとなる。処置中に寝台装置Ｂが移動してガントリＧに入る際、入って撮影が行われている最中の患者Ｈに対して何らかの背景情報を提供することで、処置中の患者Ｈの心理的負担を少しでも軽減することが可能となる。
【００８６】
マーカーＩＤが「１５６８」のマーカーＭに関する検査ステータスＩＤは、「２、３」とされており、例えば、実際に医用画像診断装置１を利用した検査が開始されるステータスを示している。すなわち、このような検査ステータスの際にあるマーカーＩＤを備えるマーカーＭを患者Ｈが見た場合、背景ＩＤが「３２１２」の背景情報が、医療情報として通信機器Ｔを介して患者Ｈに提供される。ここで提供される背景情報は、「ガントリ透過．ｍｄ２」である。
【００８７】
この「ガントリ透過．ｍｄ２」という背景情報は、いわば機器としてのガントリＧを透過させてあたかも存在しないかのように患者Ｈに見せる、というものである。つまり、ガントリＧが設置されていない処置室Ｒの景色が背景として映し出されることになる。医用画像診断装置１を利用した検査等に心理的負担を感じる患者Ｈというのは、上述したようにガントリＧ内に入って撮影を行う際、息苦しさ等を覚えることが多い。これが閉所恐怖症の場合はなおさらである。このような患者Ｈに対してガントリＧを透過させて見えなくするような背景情報を提供すれば、ガントリＧが見えない分、その心理的負担は軽減できるものと考えられる。
【００８８】
なお、ガントリＧを透過させて見えなくする他、図１０のテーブル「背景ファイル」にも示されているように、「森」、「太陽」といったガントリＧや検査等を想起させない背景情報を患者Ｈに提供し見せることで、その心理的負担を軽減させることも可能である。
【００８９】
医療情報選択部１４は、背景情報データベースｉ３にアクセスして取得した背景情報を患者Ｈの通信機器に送信する（ＳＴ１５）。通信機器Ｔの送受信部Ｔ３において受信した背景情報は医療情報表示部Ｔ２に送られて表示される（ＳＴ１６）。これによって、患者Ｈは何らかの背景情報を見ることができ、この背景によって医用画像診断装置１を利用した処置の最中における心理的負担を少しでも軽減させることができる。
【００９０】
また、背景情報を患者Ｈに提供するだけではなく、併せてイヤフォンから患者Ｈが好む音楽等を流すことによって、さらに心理的負担を軽減させることができると考えられる。
【００９１】
以上、患者Ｈに対して医療情報を提供する流れについて説明した。但し、例えば、新たな医用画像診断装置１の利用開始当初は、患者Ｈに提供するに適切な背景情報が十分に背景情報データベースｉ３に格納されているとは言い難い場合もある。当然のことながら、定型となる背景情報については、予め背景情報データベースｉ３に格納されてはいるものの、これら定型の背景情報のみでは様々な患者Ｈに提供する背景情報としては不十分である。これは、個々の患者Ｈに合った背景情報を提供することでよりその患者Ｈの心理的負担を軽減させることができるからであり、そのためには多種多様な背景情報をデータベースに格納しておく必要があると考えられる。
【００９２】
そこで、医用画像診断装置１が設置されてから所望の数の背景情報が背景情報データベースｉ３に格納されるまで、適切な背景情報取得のための情報収集が行われる（ＳＴ１３のＮＯ、ＳＴ２０）。
【００９３】
図１１は、実施の形態における背景情報の収集の流れを示すフローチャートである。まず、医療情報選択部１４から指示を受けた医療情報収集部１７が背景情報データベースｉ３からランダムに選択した背景情報を取得する（ＳＴ２１）。上述したように、背景情報データベースｉ３には事前に定型となる背景情報が記憶されている。従って背景情報データベースｉ３内に記憶される背景情報が少ない場合には、当該定型の背景情報を患者Ｈに対して提供し、患者Ｈの反応を把握する。このような医療情報の収集が行われ、背景情報が蓄積されてくることで、様々な患者Ｈごとに適切な背景情報を提供することができるようになる。
【００９４】
なお、定型の背景情報としては、予め様々なパターンを用意しておくことが望ましい。ここでは今後患者Ｈが検査等を受診する際にその心理的負担を軽減できるような背景情報を提供するためには、様々なパターンの背景情報を提供して、その反応を見ることが大切である。そのためには、ある傾向をもった背景情報ではなく様々なパターンを用意しておくと、それだけ有効なサンプルを収集することができる。
【００９５】
医療情報収集部１７は、様々なパターンを用意しておく背景情報データベースｉ３内に記憶される特定の背景情報を取得し、患者Ｈの通信機器Ｔに当該背景情報を送信する（ＳＴ２２）。医用画像診断装置１からの背景情報の送信を受けた通信機器Ｔの送受信部Ｔ３は、受信した背景情報を医療情報表示部Ｔ２に表示させる（ＳＴ２３）。
【００９６】
表示の結果、患者Ｈがどのような反応を示したかについて、例えば、撮影部Ｔ１が撮影した音声を含む画像に関する情報等が通信機器Ｔを介して医用画像診断装置１に送信される。医用画像診断装置１の医療情報収集部１７では、受信した患者Ｈの反応を保存しておく。
【００９７】
ここでは、患者Ｈの反応として、視界がぶれているか否か（ＳＴ２４）、患者Ｈが処置中に行う各種工程について、各工程は所定時間内に完了したか否か（ＳＴ２６）、泣き声等は聞こえるか否か（ＳＴ２８）、患者Ｈの行為について、エラーとなる回数（エラー表示の回数）は複数回であるか否か（ＳＴ３０）について確認される。なお、患者Ｈの反応を見るための項目は、これら４つに限られるものではなく、より少なく、或いは、より多くの項目を設けることも可能である。
【００９８】
それぞれの確認事項については、患者Ｈの反応を数値化する。例えば、反応がある場合は、所定値に係数を乗じてスコアを算出し、その算出結果を医療情報収集部１７内に保存しておく（ＳＴ２５、  ＳＴ２７、ＳＴ２９、ＳＴ３１）。また、特段の反応が見られない場合には、スコアを「０」とする。なおここでは、算出結果を医療情報収集部１７内に保存しておくこととしたが、例えば、医用画像診断装置１の記憶部１ｉ内に記憶させてお
くこととしても良い。
【００９９】
医療情報収集部１７は、算出された各確認事項のスコアを加算して総スコアを算出する（ＳＴ３２）。
【０１００】
図１２は、実施の形態における収集された背景情報に関するスコアの情報の一例を示すテーブルである。ここではある患者Ｘに提供された、ある背景情報に対する患者Ｘの反応を示すスコアが示されている。「項目」としては、上述したフローチャートに示されている通り、「視界のぶれ」、「工程完了に要した時間」、「泣き声等が聞こえた時間」、及び「エラー表示の回数」である。各項目ごとに「値」、「係数」、「スコア」の３つの欄が設けられている。
【０１０１】
ここで「値」は、いわゆる計測値であり、前三者は「分」、後者は「回数」で表わされる。「係数」は項目ごとに設定されている値であり、この値は任意に設定することができる。ここでは「視界のぶれ」と「泣き声等が聞こえた時間」については係数が「２」と設定され、「工程完了に要した時間」及び「エラー表示の回数」については係数が「４」と設定されている。そして計測値である「値」に「係数」を乗じた値が「スコア」である。図１２に示すテーブルでは、「値」と「係数」とを乗じて「スコア」を算出しているが、スコアの算出方法はどのように設定されていても良い。この各項目ごとに算出されたスコアをステップＳＴ３２において全て加算して総スコアが算出される。ここでは、「総スコア」は「５０」とされる。
【０１０２】
算出された総スコアの値は、選択、表示された背景情報と紐付けた上で背景情報データベースｉ３に保存される（ＳＴ３３）。もちろんこの総スコアを情報収集が行われた患者Ｘの情報とともに記憶することで、どの背景情報をどの患者に提供するとどのような反応を示すかを把握することができる。
【０１０３】
図１３は、実施の形態における収集された背景情報に関するスコアの情報の一例を示すテーブルである。このテーブルにおいては、「背景情報ＩＤ」、「性別」、「年齢」、「総スコア」の４つの項目が設けられている。図１２のテーブルには示されていないが、テーブルには、総スコアのみならず、例えば、上述した各項目の詳細な値を併せて示しても良い。
【０１０４】
例えば、テーブルの最上段、背景情報ＩＤが「Ａ２１５４８」の場合、この背景情報を「３歳」の「男性」に提供すると（見せると）、総スコアは「５０」となる。また、背景情報に関する情報収集に当たっては、１つの背景情報が複数の患者に提供されているケースもある。これは提供される背景情報がいずれの患者に対して有効であるかを確認する上で必要である。例えば、上述した背景情報ＩＤが「Ａ２１５４８」の場合、テーブルに示されているように、３歳の男性を含む６名の患者に対して提供されている。男性、女性、それぞれ３名ずつである。また、提供された患者の年齢を見ると、３歳から１２歳までの子供に提供されていることがわかる。総スコアは、１人非常に値が低い患者がいるが、その他の５名については、平均して「３８．２５」との値が導き出せる。
【０１０５】
このように、最初は患者と提供される背景情報との関係性を調べるために、予め背景情報データベースｉ３に格納されている背景情報をランダムに提供にするが、収集される情報が蓄積していけば、患者ごとにより適切な背景情報を提供することができるようになる。なお、情報収集が行われた場合に、情報収集が完了した後は、これまで蓄積されている背景情報の中から、現時点で当該患者に最適な背景情報が選択され、表示されることになる（ＳＴ３４）。
【０１０６】
以上説明した通り、医用画像診断装置１を利用した検査等を受診するために処置室に入室した患者に対して、ガイド情報や最適な背景情報といった医療情報を提供することによって、受診中に患者が感じるストレスを可能な限り低減しつつスムーズに処置を行うことのできる医用画像診断装置、医療情報提供方法、及び医療情報提供システムを提供することができる。
【０１０７】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【０１０８】
これまでの第１の実施の形態においては、医用画像診断装置１が医療情報を提供する装置である場合を説明してきた。すなわち、医用画像診断装置１がマーカーＭの画像情報を通信機器Ｔから取得し、患者Ｈの位置を把握した上で、当該位置において適切なガイド情報や背景情報といった医療情報を提供している。そのため実際に患者Ｈにどのような医療情報を提供するか否かについては、医用画像診断装置１が判断をしている。
【０１０９】
一方、第２の実施の形態においては、患者Ｈに対してどのような医療情報を提供するかの判断を、医用画像診断装置１ではなく、実際に患者Ｈに医療情報を提供する装置が行う点、第１の実施の形態における医療情報提供システムＳと異なる。
【０１１０】
図１４は、第２の実施の形態における医療情報提供システムＳ１の全体構成を示すブロック図である。医療情報提供システムＳ１は、主に、患者Ｈの検査等を行う医用画像診断装置２と、医用画像診断装置２を利用して検査等を受診する患者Ｈが装着する医療情報提供装置２０とから構成される。なお、図１４では示していないが、処置室Ｒ内には、マーカーＭ１ないしＭ６が設けられており、医用画像診断装置２は、寝台装置ＢとガントリＧとから構成されている点は、第１の実施の形態と同様である（図１参照）。
【０１１１】
第２の実施の形態における医用画像診断装置２の内部構成は、図１４に示す通り、第１の実施の形態における医用画像診断装置１の内部構成と略同じである。異なるのは、医用画像診断装置１内には医療情報提供部１０が設けられているのに対して、医用画像診断装置２には当該医療情報提供部は設けられていない点である。
【０１１２】
これは上述したように、第２の実施の形態において実際に患者Ｈに医療情報を提供するのは、医療情報提供装置２０であって、医用画像診断装置２ではないからである。すなわち、医用画像診断装置１内に設けられていた医療情報提供部１０の機能を医療情報提供装置２０に設けている。そのため、医療情報提供部１０以外の各部の機能、働きについては、第１の実施の形態において説明した通りであることから、ここでは説明を省略する。
【０１１３】
次に医療情報提供装置２０について説明する。図１５は、第２の実施の形態において医療情報提供システムＳ１を構成する医療情報提供装置２０の内部構成を示すブロック図である。医療情報提供装置２０は、受信部２１と、マーカー認識部２２と、閲覧位置算出部２３と、医療情報選択部２４と、検査ステータス管理部２５と、嗜好性解析部２６と、医療情報表示部２７と、撮影部２８と、医療情報情報収集部２９と、送信部３０と、から構成される。
【０１１４】
第１の実施の形態における通信機器Ｔでは、撮影部Ｔ１と医療情報表示部Ｔ２と送受信部Ｔ３とを備えていた。上述の医療情報表示部２７と撮影部２８、及び受信部２１並びに送信部３０は、それぞれ医療情報表示部Ｔ２、撮影部Ｔ１、及び送受信部Ｔ３に該当し、機能も同じである。一方、医療情報提供装置２０におけるその余の各部は、医療情報提供
部１０として医用画像診断装置１内に設けられていたものであり、同じく機能、働きは同じである。従って、ここでは説明を省略する。
【０１１５】
医用画像診断装置２を利用した処置が行われる際、患者Ｈは医療情報提供装置２０を装着する。当該医療情報提供装置２０からは、処置室Ｒ内における患者Ｈの位置、処置の進み具合等に応じて、適宜、ガイド情報、或いは、背景情報の医療情報が提供される。この医療情報の提供の流れについては、提供される医療情報を選択するための情報を通信装置から医用画像診断装置へと送信するステップがなくなる以外、これまで説明した通りの流れとなる。また、背景情報を収集するための流れも同様である。
【０１１６】
以上の医療情報提供システムＳ１を用いることで、医用画像診断装置１を利用した検査等を受診するために処置室に入室した患者に対して、ガイド情報や最適な背景情報といった医療情報を提供することによって、受診中に患者が感じるストレスを可能な限り低減しつつスムーズに処置を行うことのできる医用画像診断装置、医療情報提供方法、及び医療情報提供システムを提供することができる。
【０１１７】
特に、第１の実施の形態における通信機器Ｔは、医療情報の提供に関する判断等を行わず、あくまでも判断の材料となるマーカーＭの情報を医用画像診断装置１に提供し、実際に提供される医療情報を患者Ｈに対して表示させるに止まっていた。一方、第２の実施の形態においては、患者Ｈに対してどのような医療情報を提供するかの判断を患者Ｈが装着する医療情報提供装置２０において行っている。ガイド情報や背景情報等については、医用画像診断装置２の記憶部２ｉに記憶されており、適宜当該記憶部２ｉ内のデータベースにアクセスする必要があるが、それ以外では医療情報提供装置２０内で処理が完結する。従って、患者Ｈに対してより迅速な医療情報の提供を行うことができる。
【０１１８】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【０１１９】
１    医用画像診断装置
１０    医療情報提供部
１１    受信部
１２    マーカー認識部
１３    閲覧位置算出部
１４    医療情報選択部
１５    検査ステータス管理部
１６    嗜好性解析部
１７    医療情報収集部
１８    送信部
Ｔ    通信機器
Ｔ１    撮影部
Ｔ２    医療情報表示部
Ｔ３    送受信部
Ｍ    マーカー
【図１】
2015173957.tif 000003
【図２】
2015173957.tif 000004
【図３】
2015173957.tif 000005
【図４】
2015173957.tif 000006
【図５】
2015173957.tif 000007
【図６】
2015173957.tif 000008
【図７】
2015173957.tif 000009
【図８】
2015173957.tif 000010
【図９】
2015173957.tif 000011
【図１０】
2015173957.tif 000012
【図１１】
2015173957.tif 000013
【図１２】
2015173957.tif 000014
【図１３】
2015173957.tif 000015
【図１４】
2015173957.tif 000016
【図１５】
2015173957.tif 000017